【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
表面を有するＸ線管の陰極として機能する円筒形フィラメント、
を含み、
前記表面の選択部分は、該表面の非選択部分に対して少なくとも１つの変更された特性を有する、
装置であって、
前記変更された特性は、仕事関数であり、
前記選択部分の前記仕事関数は、前記表面の非選択部分に対してより低く、
前記選択部分は、第１の変換された材料を含み、前記非選択部分は、第２の変換材料を含むことを特徴とする、前記装置。
【請求項２】
前記第１の変換された材料は、炭化タングステンであり、前記第２の変換された材料は、二炭化タングステンであることを特徴とする請求項１に記載の装置。
【請求項３】
前記非選択部分は、基部フィラメント材料を含み、前記選択部分は、浸炭された材料を含むことを特徴とする請求項１に記載の装置。
【請求項４】
前記非選択部分は、基部フィラメント材料を含み、前記選択部分は、該基部フィラメント材料から拡散された該基部フィラメント材料からの元素を含むことを特徴とする請求項１に記載の装置。
【請求項５】
前記基部フィラメント材料からの前記拡散元素は、トリウムであり、該基部フィラメント材料は、トリア化タングステンであることを特徴とする請求項４に記載の装置。
【請求項６】
前記基部フィラメント材料の前記拡散元素は、セリウムであり、該基部フィラメント材料は、セリウム化タングステンであることを特徴とする請求項４に記載の装置。
【請求項７】
前記基部フィラメント材料の前記拡散元素は、ランタンであり、該基部フィラメント材料は、ランタン化タングステンであることを特徴とする請求項４に記載の装置。
【請求項８】
前記円筒形フィラメントの前記表面から放出された電子を受け取るために配置された陽極を更に含むことを特徴とする請求項１に記載の装置。
【請求項９】
電子ビームが、前記陽極上に入射し、
前記電子ビームは、実質的に前記円筒形フィラメントの前記表面の前記選択部分から前記陽極に向けて放出される、
ことを特徴とする請求項８に記載の装置。
【請求項１０】
前記電子ビームは、前記表面の非選択部分に対して、前記選択部分からより高いビーム強度を放出することを特徴とする請求項８に記載の装置。
【請求項１１】
前記表面の前記選択部分の前記変更された特性は、実質的に該選択部分からのみの電子の放出をもたらすことを特徴とする請求項１に記載の装置。
【請求項１２】
表面を有するＸ線管の陰極として機能する円筒形フィラメント、
を含み、
前記表面の複数の選択部分は、該表面の複数の非選択部分に対して少なくとも１つの変更された特性を有する、
装置であって、
前記変更された特性は、仕事関数であり、
前記選択部分の前記仕事関数は、前記表面の複数の非選択部分に対してより低く、
前記選択部分は、第１の材料を含み、前記非選択部分は、第２の材料を含むことを特徴とする、前記装置。
【請求項１３】
前記第１の材料は、炭化タングステンであり、前記第２の材料は、二炭化タングステンであることを特徴とする請求項１２に記載の装置。
【請求項１４】
前記第２の材料は、基部フィラメント材料を含み、前記第１の材料は、浸炭された材料を含むことを特徴とする請求項１２に記載の装置。
【請求項１５】
前記第１の材料の仕事関数は、前記第２の材料の仕事関数に対してより低いことを特徴とする請求項１２に記載の装置。
【請求項１６】
Ｘ線管の陰極として機能する円筒形フィラメント、
を含み、
前記フィラメントの選択部分は、該フィラメントの非選択部分に対して少なくとも１つの変更された特性を有する、
装置であって、
前記変更された特性は、コイル状の螺旋構造フィラメントの、実質的に平坦又は凹状に変更された外表面を有するコイル状の螺旋構造であり、
前記変更は、螺旋軸に沿って、該螺旋軸に沿ったコイル状の螺旋構造の断面に接する方向になされることを特徴とする、前記装置。
【請求項１７】
Ｘ線管の陰極として機能する円筒形フィラメント、
を含み、
前記フィラメントの選択部分は、該フィラメントの非選択部分に対して少なくとも１つの変更された特性を有する、
装置であって、
前記変更された特性は、コイル状の螺旋構造フィラメントの、実質的に平坦又は凹状に変更された外表面を有するコイル状の螺旋構造であり、
前記変更された特性は、前記選択部分から放出される電子の軌道を、低減された広がりを有する電子ビームを形成するようなものとする、変更された幾何学的特性を含むことを特徴とする、前記装置。
【請求項１８】
前記変更された特性は、除去された材料、平坦化された材料、凹状湾曲のうちの１つを含み、前記選択部分において前記フィラメントの外表面の環状の断面形状を置換して、前記低減された広がりをもたらすことを特徴とする請求項１６に記載の装置。
【請求項１９】
前記選択部分の第１の材料の仕事関数は、前記非選択部分の第２の材料の仕事関数に対してより低いことを特徴とする請求項１８に記載の装置。
【請求項２０】
前記円筒形フィラメントの前記表面から放出された電子を受け取る陽極を更に含むことを特徴とする請求項１６に記載の装置。
【請求項２１】
前記陽極上に入射する電子ビームを更に含み、
前記電子ビームは、実質的に、前記電子放出陰極構造体の前記フィラメントの前記選択部分のみから前記陽極に向けて放出される、
ことを特徴とする請求項２０に記載の装置。
【請求項２２】
前記電子ビームは、前記陰極フィラメントの非選択部分に対して、該陰極フィラメントの前記選択部分からより高いビーム強度を放出することを特徴とする請求項２１に記載の装置。
【請求項２３】
前記フィラメントの前記選択部分の前記変更された特性は、実質的に前記選択部分のみから電子を放出するように構成されることを特徴とする請求項１６に記載の装置。
【請求項２４】
前記外表面から放出された電子を受け取る陽極を更に含むことを特徴とする請求項１６に記載の装置。
【請求項２５】
電子ビームが、前記陽極上に入射し、
前記電子ビームは、実質的に前記円筒形フィラメントの前記選択部分から前記陽極に向けて放出される、
ことを特徴とする請求項２４に記載の装置。
【請求項２６】
前記電子ビームは、前記フィラメントの非選択部分に対して、前記選択部分からより高いビーム強度を放出することを特徴とする請求項２５に記載の装置。
【請求項２７】
前記変更された特性は、仕事関数であることを特徴とする請求項１６に記載の装置。
【請求項２８】
前記選択部分の前記仕事関数は、前記フィラメントの非選択部分に対してより低いことを特徴とする請求項２７に記載の装置。
【請求項２９】
前記選択部分と前記非選択部分の前記仕事関数の差は、電子ボルト（ｅＶ）の約１と９／１０（１．９ｅＶ）であることを特徴とする請求項２８に記載の装置。
【請求項３０】
前記選択部分と前記非選択部分の前記仕事関数の差は、０．１よりも大きく、かつ３電子ボルト（３ｅＶ）を超えるまでであることを特徴とする請求項２８に記載の装置。
【請求項３１】
前記フィラメントの前記非選択部分は、基部フィラメント材料を含み、該フィラメントの前記選択部分は、該基部フィラメントの材料と該基部フィラメント材料上の材料の薄膜層とを含むことを特徴とする請求項２８に記載の装置。
【請求項３２】
前記材料の薄膜層は、タンタルであり、前記基部フィラメント材料は、タングステンであることを特徴とする請求項３１に記載の装置。
【請求項３３】
前記フィラメントの前記選択部分は、基部フィラメント材料を含み、該フィラメントの前記非選択部分は、該基部フィラメントの材料と該基部フィラメント材料上の材料の薄膜層とを含むことを特徴とする請求項２８に記載の装置。
【請求項３４】
前記材料の薄膜層は、プラチナであり、前記基部フィラメント材料は、タングステンであることを特徴とする請求項３３に記載の装置。
【請求項３５】
前記フィラメントの前記選択部分は、基部フィラメントの材料と該基部フィラメント材料上の材料の薄膜層とを含み、該フィラメントの前記非選択部分は、該基部フィラメント材料と該基部フィラメント材料上の材料の第２の薄膜層とを含むことを特徴とする請求項２８に記載の装置。
【請求項３６】
材料の第１の薄膜層が、タンタルであり、前記材料の前記第２の薄膜層は、プラチナであり、前記基部フィラメント材料は、タングステンであることを特徴とする請求項３５に記載の装置。
【請求項３７】
前記非選択部分は、基部フィラメント材料を含み、前記選択部分は、変換された材料を含むことを特徴とする請求項２８に記載の装置。
【請求項３８】
前記基部フィラメント材料は、タングステンであり、前記変換された材料は、炭化タングステンであることを特徴とする請求項３７に記載の装置。
【請求項３９】
前記選択部分は、基部フィラメント材料を含み、前記非選択部分は、変換された材料を含むことを特徴とする請求項２８に記載の装置。
【請求項４０】
前記基部フィラメント材料は、タングステンであり、前記変換された材料は、二炭化タングステンであることを特徴とする請求項３９に記載の装置。
【請求項４１】
Ｘ線管の陰極として機能する円筒形フィラメント、
を含み、
前記フィラメントの選択部分は、該フィラメントの非選択部分に対して少なくとも１つの変更された特性を有する、
装置であって、
前記変更された特性は、コイル状の螺旋構造の、実質的に平坦又は凹状に変更された外表面を有するコイル状の螺旋構造であり、
前記変更は、螺旋軸に沿った、該螺旋軸に沿ったコイル状の螺旋構造の断面に接する方向の、前記円筒形フィラメントの曲げ又は除去部分であることを特徴とする、前記装置。